(57)【要約】【課題】顎等の湾曲部分を剃る際に外刃を的確に肌に当てることができ、効率的で剃り残し等のない髭剃りを可能にする。【解決手段】外刃と、外刃の内面に摺接する複数の小刃を備えた内刃と、内刃を外刃の長手方向に往復動させる駆動機構とを備えた往復動式電気かみそりにおいて、外刃１０ａの頂部が凹形状に湾曲して形成されていることを特徴とする。外刃が並列に配置され、一方の外刃１０ａの頂部が凹形状に湾曲して形成され、他方の外刃１０ｂ、１０ｃの頂部が外方に凸形状あるいは直線状に形成されている。【選択図】          図１
2004267417.tif 000002
【特許請求の範囲】
【請求項１】
外刃と、外刃の内面に摺接する複数の小刃を備えた内刃と、内刃を外刃の長手方向に往復動させる駆動機構とを備えた往復動式電気かみそりにおいて、
前記外刃の頂部が凹形状に湾曲して形成されていることを特徴とする往復動式電気かみそり。
【請求項２】
２個の外刃が並列して配置され、一方の外刃の頂部が凹形状に湾曲して形成され、他方の外刃の頂部が外方に凸形状あるいは直線状に形成されていることを特徴とする請求項１記載の往復動式電気かみそり。
【請求項３】
外刃の内面に刃が摺接する内刃を構成する小刃が、頂部が凹形状に形成された外刃の曲率に合わせて小刃支持体に支持され、
内刃を往復動させる駆動機構が、外刃の曲面形状にならって内刃を往復動すべく設けられていることを特徴とする請求項１または２記載の往復動式電気かみそり。
【請求項４】
駆動機構が、小刃支持体を支持する往復駆動軸と、凹形状に形成された外刃の頂部の曲率中心と曲率中心を一致させた曲線状に形成され、内刃を外刃の曲面形状にならってガイド移動させるガイド軸と、
駆動モータの出力軸の回転動作を、外刃の長手方向に前記往復駆動軸を往復駆動させる往復動作に変換する変換機構とを備えていることを特徴とする請求項３記載の往復動式電気かみそり。
【発明の詳細な説明】
【０００１】
【発明の属する技術分野】
本発明は往復動式電気かみそりに関し、より詳細には頂部面が内刃方向に凹んで形成された外刃を備える往復動式電気かみそりに関する。
【０００２】
【従来の技術】
往復動式電気かみそりは、断面形状が逆Ｕ字状に形成された外刃の内側で、外刃の長手方向に内刃を往復駆動することにより、外刃と内刃とで髭をカットするように構成されているものである。図７（ａ）は、２つの外刃１０が並列して配置されている電気かみそりの例、図７（ｂ）は、１つの外刃１０が配置されている電気かみそりの例である。通常、外刃１０の外面の頂部（稜線部分）は図７（ａ）に示すように直線状に形成されているが、図７（ｂ）に示すように外刃１０の外面の頂部が外方に凸形状となるように膨出した形状に形成されているものもある（たとえば、特許文献１参照）。
【０００３】
【特許文献１】
特開平５−４９７６０号公報
【０００４】
【発明が解決しようとする課題】
ところで、図７に示すように外刃の外面の頂部が直線状に形成されていたり、外刃の頂部が外方に突出するように形成されていたりすると、図５（ａ）に示すように、顎などの湾曲した部分を剃る際に、外刃１０が肌に部分的に当たるだけで、剃り残しが生じたり、効率的な髭剃りができないという問題があった。
そこで、本発明はこれらの課題を解決すべくなされたものであり、その目的とするところは、顎などの湾曲した部分などを剃る場合でも、外刃が肌に密着して当たることによって効率的な髭剃りが可能で、剃り残し等がなく使いやすい往復動式電気かみそりを提供しようとするものである。
【０００５】
【課題を解決するための手段】
上記目的を達成するため、本発明は次の構成を備える。
すなわち、外刃と、外刃の内面に摺接する複数の小刃を備えた内刃と、内刃を外刃の長手方向に往復動させる駆動機構とを備えた往復動式電気かみそりにおいて、前記外刃の頂部が凹形状に湾曲して形成されていることを特徴とする。
また、２個の外刃が並列して配置され、一方の外刃の頂部が凹形状に湾曲して形成され、他方の外刃の頂部が外方に凸形状あるいは直線状に形成されていることにより、顎などの湾曲した部分については頂部が凹形状に湾曲している外刃を使用し、顎下などの凹んだ部位には外方に凸形状となっている外刃を使用し、頬などのたいらな部位には頂部が直線状に形成されている外刃を使用するといったように、外刃を使い分けして好適な髭剃りができる往復動式電気かみそりとして提供できる。
【０００６】
また、前記外刃の内面に刃が摺接する内刃を構成する小刃が、頂部が凹形状に形成された外刃の曲率に合わせて小刃支持体に支持され、内刃を往復動させる駆動機構が、外刃の曲面形状にならって内刃を往復動すべく設けられていることを特徴とする。
また、前記駆動機構が、小刃支持体を支持する往復駆動軸と、凹形状に形成された外刃の頂部の曲率中心と曲率中心を一致させた曲線状に形成され、内刃を外刃の曲面形状にならってガイド移動させるガイド軸と、駆動モータの出力軸の回転動作を、外刃の長手方向に前記往復駆動軸を往復駆動させる往復動作に変換する変換機構とを備えていることを特徴とする。
【０００７】
【発明の実施の形態】
以下、本発明の好適な実施の形態について詳細に説明する。
図１は、本発明に係る往復動式電気かみそりの一実施形態の構成を示す説明図である。本実施形態の往復動式電気かみそりは、２つの外刃を並列に配置したものであり、一方の外刃の剃り面となる外面の頂部が凹形状に湾曲して形成されていることを特徴とする。
図１（ａ）に示す往復動式電気かみそりは、一方の外刃１０ａの頂部が凹形状に湾曲して形成され、他方の外刃１０ｂの頂部が外方に凸形状となるように湾曲して形成されているものである。図１（ｂ）に示す往復動式電気かみそりは、一方の外刃１０ａの頂部が凹形状に湾曲して形成され、他方の外刃１０ｃの頂部（稜線部分）が直線状に形成されているものである。
【０００８】
図２は、往復動式電気かみそりで使用する外刃（交換部分）を示している。図２（ａ）は外刃の頂部の中央部が外方に凸形状となった外刃１０ａ、図２（ｂ）は外刃の頂部の中央部が凹形状になった外刃１０ｂ、図２（ｃ）は外刃の頂部が直線状となった外刃１０ｃを示している。なお、各々の図では外刃の正面形状と、外刃の長手方向の中央部での断面図を示している。
往復動式電気かみそりは、外刃を交換してセットすることが可能であるから、図２に示す外刃と外刃に合わせて使用する内刃とを適宜セットすることによって、図１に示す外刃を備えた電気かみそりとすることができる。
【０００９】
往復動式電気かみそりでは、外刃の内側で外刃の長手方向に内刃が往復動して髭剃りされる。図２に示す外刃を使用する際には、外刃の頂部の外面形状にならって小刃が配置された内刃を使用すればよい。
図３（ａ）、（ｂ）、（ｃ）はそれぞれ、図２（ａ）、（ｂ）、（ｃ）の外刃に合わせて使用する内刃１２を示す。内刃１２は、刃先部分が外刃の内面形状に合わせて形成された小刃１４を小刃支持体１３に所定間隔をあけて取り付けたものである。小刃支持体１３は電気かみそりの本体に内蔵されている駆動モータ等を備えた駆動機構により外刃の長手方向に往復駆動される往復駆動軸に支持されている。内刃１２が往復動する際の移動距離は２ｍｍ程度と僅かであるから、小刃支持体１３に若干弾性を有する素材を使用すれば、駆動モータによって往復駆動軸を外刃に対して平行に往復動させる（直線的な往復動）通常の駆動機構により、外刃の内面に摺接させるようにして内刃１２を往復動させることができる。
【００１０】
なお、図２（ａ）、（ｂ）に示すような、外刃の頂部が外方に凸形状あるいは凹形状に湾曲した形状となっている場合に、外刃の曲面形状にならって内刃１２を曲線的に往復動させるようにするには、図４（ａ）、（ｂ）に示すような駆動機構の構成とすればよい。図４（ａ）は、頂部が外方に凸形状に湾曲している外刃１０ｂの場合、図４（ｂ）は、頂部が凹形状に湾曲している外刃１０ａの場合である。
図４（ａ）の内刃１２の小刃支持体１３は凸形状に湾曲して形成され、図４（ｂ）の内刃１２の小刃支持体１３は凹形状に湾曲して形成されている。小刃支持体１３は往復駆動軸１６に固定され、往復駆動軸１６は基部位置でガイド軸１８にガイドされて往復動するガイド体２０に固定されている。
【００１１】
ガイド軸１８は内刃１２が外刃の頂部の形状にならって往復動するように往復駆動軸１６をガイドするためのものである。図４（ａ）では、外刃１０ｂの頂部の全体形状を円弧状とし、同じくガイド軸１８を円弧状に形成して、外刃１０ｂの曲率中心とガイド軸１８の曲率中心とを一致させるようにガイド軸１８の曲率および配置を設定したものである。ガイド軸１８を電気かみそりの本体５に対して固定し、ガイド軸１８に沿ってガイド体２０が摺動するように設けることにより、ガイド体２０が往復動するとともに内刃１２が外刃１０ｂの内面に摺接して往復動するようになる。
図４（ｂ）では、外刃１０ａの頂部が円弧状の凹形状となるようにし、外刃１０ａの曲率中心に一致するようにガイド軸１８を円弧状に形成し、配置位置を規定している。これによって、ガイド軸１８上をガイド体２０が往復動することにより、外刃１０ａの内面に摺接するようにして内刃１２が往復動する。
【００１２】
ガイド体２０を往復動させる駆動機構としては、駆動モータ２２の出力軸２４に、出力軸２４の軸線に対して偏心した位置に偏心ピン２６を取り付け、偏心ピン２６をガイド体２０に固定した係合部２８に係合させればよい。係合部２８にはガイド体２０が往復動する方向とは直交する向きに偏心ピン２６が係合しながら摺動する長孔が設けられている。偏心ピン２６と係合部２８とが係合しながら偏心ピン２６が回転することにより、偏心ピン２６の回転動作がガイド体２０の往復動作に変換される。なお、回転動作を直線的な往復動作に変換する変換機構は、このような構成に限定されるものではない。
【００１３】
図４に示す内刃１２の駆動機構によれば、内刃１２が外刃１０ａ、１０ｂの頂部の曲線形状（円弧）にならって曲線的（円弧状）に往復動し、頂部が凸形状に湾曲した外刃あるいは凹形状に湾曲した外刃を備えた往復動式電気かみそりにおいて、外刃の内面にならって内刃を往復動させるようにして髭剃りすることができる。
【００１４】
図１に示すように、外刃の頂部の形状が凹形状となる外刃１０ａを備えている電気かみそりの場合は、図５（ｂ）に示すように、顎等の湾曲している部位を髭剃りする際に、顎等の湾曲している形状に合わせて肌に外刃１０ａを当てるようにすることができ、効率的な髭剃りができるとともに、剃り残しなく好適な髭剃りが可能になる。
【００１５】
図１（ａ）、（ｂ）に示す往復動式電気かみそりでは、頂部が凹形状に形成されている外刃１０ａと、頂部が頂部が凸形状となっている外刃１０ｂとを組み合わせたもの、頂部が凹形状に形成されている外刃１０ａと頂部が直線状に形成されている外刃とを組み合わせたものとなっている。したがって、これらの往復動式電気かみそりでは、顎や顎下、首部分などの湾曲部分を剃る際には、凹形状となっている外刃１０ａを肌に当てるようにして髭剃りし、頬などの平らな部分を剃る際には頂部が凸形状あるいは直線状となっている外刃を肌に当てるようにしてを髭剃りすることができ、外刃を使い分けるようにすることでさらに好適な髭剃りが可能になる。
【００１６】
なお、上記各実施形態においては、頂部を凹形状に形成した外刃１０ａおよびその他の外刃１０ｂ、１０ｃは、平面方向から見た場合、直線状に配置されており、外刃の内面に摺接して往復動する内刃１２は平面方向から見た場合に直線的に往復動するように設けられている。本発明に係る往復動式電気かみそりは、このような平面配置が直線状に配置される外刃に限らず、図６に示すように平面方向から見た際に湾曲する形態の外刃１０ｄの場合にも、外刃１０ｄの頂部を凹形状とすることによって上述したと同様の作用効果を得ることができる。図６（ａ）は外刃１０ｄを平面方向から見た状態、図６（ｂ）は外刃１０ｄを正面方向から見た状態を示している。
【００１７】
【発明の効果】
本発明に係る往復動式電気かみそりによれば、上述したように、外刃の外面の頂部の形状を凹形状としたことによって、顎等の湾曲部分を剃る際に外刃を的確に肌に当てることができ、効率的で剃り残し等のない髭剃りが可能になる等の著効を奏する。
【図面の簡単な説明】
【図１】本発明に係る往復動式電気かみそりの実施形態の構成を示す斜視図である。
【図２】外刃の構成を示す説明図である。
【図３】内刃の構成を示す説明図である。
【図４】外刃の内面形状に沿って内刃を曲線的に往復動させる構成を示す説明図である。
【図５】往復動式電気かみそりで髭剃りしている状態を示す説明図である。
【図６】外刃の他の形態を示す説明図である。
【図７】往復動式電気かみそりの従来例を示す説明図である。
【符号の説明】
１０、１０ａ、１０ｂ、１０ｃ、１０ｄ  外刃
１２  内刃
１３  小刃支持体
１４  小刃
１６  往復駆動軸
１８  ガイド軸
２０  ガイド体
２２  駆動モータ
２４  出力軸
２６  偏心ピン
２８  係合部
【図１】
2004267417.tif 000003
【図２】
2004267417.tif 000004
【図３】
2004267417.tif 000005
【図４】
2004267417.tif 000006
【図５】
2004267417.tif 000007
【図６】
2004267417.tif 000008
【図７】
2004267417.tif 000009